(57)【特許請求の範囲】
【請求項１】
実験動物が飼育される飼育空間が形成された装置本体と、
前記装置本体の開放された上部を覆うカバーと、
前記カバー又は装置本体に形成された開放部に分離可能に備えられ、前記飼育空間に流入する空気が浄化されるようにするフィルタ部と、
を含み、
前記フィルタ部は前記開放部に回転可能に備えられ、
前記フィルタ部は、
前記開放部に回転可能且つ分離可能に備えられる第１のフィルタ支持部材と、
前記第１のフィルタ支持部材の下に備えられる第２のフィルタ支持部材と、
前記第１のフィルタ支持部材と第２のフィルタ支持部材の間に備えられるフィルタ部材と、
を含み、
前記第２のフィルタ支持部材は前記第１のフィルタ支持部材に回転可能に備えられ、
前記第１のフィルタ支持部材の下部には、前記第２のフィルタ支持部材が回転によって重なるように挿入される挿入部が形成され、
前記挿入部の外側の前記第１のフィルタ支持部材には、前記開放部との間を密封する開放部密封部材が備えられ、
前記開放部密封部材は、前記第１のフィルタ支持部材を少なくとも一部貫通して前記第１のフィルタ支持部材に備えられ、
前記挿入部の外側の前記第１のフィルタ支持部材には貫通孔が形成され、
前記開放部密封部材は、前記第１のフィルタ支持部材の上部に備えられる上部密封部、前記第１のフィルタ支持部材の下部に備えられる下部密封部、及び前記上部密封部と下部密封部に連結され前記貫通孔を貫通する連結部を含む、実験動物飼育装置。
【請求項２】
前記第１のフィルタ支持部材と第２のフィルタ支持部材には空気が通過する通過孔が形成される、請求項１に記載の実験動物飼育装置。
【請求項３】
前記カバーには、水筒が挿入されて実験動物に水を供給することができる水供給部が形成される、請求項１又は請求項２に記載の実験動物飼育装置。
【請求項４】
前記水供給部には水筒の水注入ノズルが挿入される水供給孔が形成され、
前記水供給孔に隣接した前記水供給部には前記水供給孔を開閉する回転開閉部材が回転可能に備えられる、請求項３に記載の実験動物飼育装置。
【請求項５】
前記水供給孔に隣接した前記水供給部には前記回転開閉部材に弾性力を作用させる弾性部材が備えられる、請求項４に記載の実験動物飼育装置。
【請求項６】
前記水注入ノズルに隣接した前記水筒の部分には、前記水注入ノズルが前記水供給孔に挿入されたときに前記水注入ノズルと水供給孔の間の間隙を密封する間隙密封部材が備えられる、請求項４又は請求項５に記載の実験動物飼育装置。
【請求項７】
前記カバー又は装置本体には、前記カバーが前記装置本体に結合されるようにするクランピング部材が回転可能に備えられる、請求項１から請求項６のいずれか一項に記載の実験動物飼育装置。
【請求項８】
前記装置本体とカバーの間には密封部材が備えられる、請求項７に記載の実験動物飼育装置。
【請求項９】
前記カバー又は装置本体には、前記飼育空間に新鮮な空気を供給したり前記飼育空間に存在する汚染された空気を排出するように空気供給源又は空気排出源に連結される空気流動部が形成される、請求項１から請求項８のいずれか一項に記載の実験動物飼育装置。
【請求項１０】
前記空気流動部は前記カバーに形成される、請求項９に記載の実験動物飼育装置。
【請求項１１】
前記空気流動部には流動孔が形成され、
前記流動孔には前記流動孔を開閉するバルブ部が備えられる、請求項１０に記載の実験動物飼育装置。
【請求項１２】
前記バルブ部は、前記流動孔に移動可能に備えられて前記流動孔を開閉する移動開閉部材を含む、請求項１１に記載の実験動物飼育装置。
【請求項１３】
前記移動開閉部材は、前記流動孔を開閉する開閉部、及び前記流動孔に移動可能に備えられる移動部を含む、請求項１２に記載の実験動物飼育装置。
【請求項１４】
前記開閉部は円錐台状又は円錐状である、請求項１３に記載の実験動物飼育装置。
【請求項１５】
前記流動孔には、前記移動開閉部材の移動をガイドするように前記移動開閉部材が挿入されるガイド孔と空気が通過する空気通過孔が形成されたガイド部が備えられる、請求項１２から請求項１４のいずれか一項に記載の実験動物飼育装置。
【請求項１６】
前記バルブ部は、
前記移動開閉部材の一端部が挿入される挿入孔と空気が通過する空気通過孔が形成されたガイド部材と、
前記ガイド部とガイド部材の間に備えられる弾性部材と、
をさらに含む、請求項１５に記載の実験動物飼育装置。
【請求項１７】
前記流動孔には、前記空気供給源と空気排出源を含む空調装置に備えられた連結部が挿入される、請求項１１から請求項１６のいずれか一項に記載の実験動物飼育装置。
【請求項１８】
前記空気流動部には磁力が発生する第１の磁力発生部材が備えられ、
前記第１の磁力発生部材に対応する位置の前記連結部には前記第１の磁力発生部材に対応する第２の磁力発生部材が備えられる、請求項１７に記載の実験動物飼育装置。
【請求項１９】
前記装置本体の底面から所定間隔離隔するように前記飼育空間に備えられ実験動物の餌が置かれる餌箱をさらに含む、請求項１から請求項１８のいずれか一項に記載の実験動物飼育装置。
【請求項２０】
前記餌箱は前記開放部の下に備えられる、請求項１９に記載の実験動物飼育装置。
【請求項２１】
前記餌箱の少なくとも一部は網状である、請求項２０に記載の実験動物飼育装置。
【請求項２２】
前記餌箱の断面は上広下狭の四角形である、請求項２０に記載の実験動物飼育装置。
【請求項２３】
前記餌箱の上端部は前記開放部に設置される、請求項２０に記載の実験動物飼育装置。
【請求項２４】
前記餌箱の上端部には引っ掛け部が形成され、前記開放部には前記引っ掛け部が引っ掛かる引っ掛け溝が形成される、請求項２３に記載の実験動物飼育装置。
【請求項２５】
前記餌箱には、上端部から水平に延びる水平延長部、及び前記水平延長部から垂直に延びる垂直延長部が備えられる、請求項２０に記載の実験動物飼育装置。
【請求項２６】
前記餌箱の上端部と水平延長部は前記装置本体の上端部に設置される、請求項２５に記載の実験動物飼育装置。
【請求項２７】
前記餌箱の上端部と水平延長部には引っ掛け部が形成され、
前記装置本体の上端部には前記引っ掛け部が引っ掛かる引っ掛け溝が形成される、請求項２６に記載の実験動物飼育装置。
【発明の詳細な説明】
【技術分野】
【０００１】
本発明は、実験用ネズミなどの実験動物を飼育する実験動物飼育装置に関する。
【背景技術】
【０００２】
実験動物飼育装置は、実験用ネズミなどの実験動物を飼育する装置である。
【０００３】
このような実験動物飼育装置には、実験動物が飼育されることができる飼育空間が形成される。そして、実験動物飼育装置は、空調装置などに連結されるか空調装置などによって飼育空間の空気が実験動物の飼育に適合するように循環して快適さを維持するようにする。
【０００４】
しかしながら、従来の実験動物飼育装置は、空調装置などが作動しない場合に飼育空間の空気が循環せず、実験動物が斃死した。
【０００５】
また、実験動物飼育装置の飼育空間から実験動物を出したり、実験動物を飼育空間に入れたり、又は飼育空間の実験動物を扱うためには実験動物飼育装置を分離又は分解しなければならないため、不便であった。
【０００６】
また、空調装置などに実験動物飼育装置を連結することが容易ではなかった。
【０００７】
また、実験動物の餌が盛られる、一つの形状の餌箱しか備えられなかった。
【発明の概要】
【発明が解決しようとする課題】
【０００８】
本発明は、上記のような従来の要求又は問題のうち少なくともいずれか一つを認識してなされたものである。
【０００９】
本発明の一目的は、実験動物飼育装置の飼育空間の空気が快適になるように空気を循環させる空調装置などが作動しなくても実験動物が斃死しないようにすることである。
【００１０】
本発明の他の目的は、実験動物を実験動物飼育装置に容易に入れたり出したりして容易に扱うことができるようにすることである。
【００１１】
本発明のさらに他の目的は、実験動物飼育装置を空調装置などに容易に連結するようにすることである。
【００１２】
本発明のさらに他の目的は、多様な形状の餌箱が備えられるようにすることである。
【課題を解決するための手段】
【００１３】
上記課題のうち少なくとも一つの課題を実現するための一実施形態による実験動物飼育装置は、次のような特徴を含むことができる。
【００１４】
本発明の一実施形態による実験動物飼育装置は、実験動物が飼育される飼育空間が形成された装置本体と、装置本体の開放された上部を覆うカバーと、カバー又は装置本体に形成された開放部に分離可能に備えられ、飼育空間に流入する空気が浄化されるようにするフィルタ部と、を含むことができる。
【００１５】
この場合、上記開放部はカバーに形成されることができる。
【００１６】
また、上記フィルタ部は開放部に回転可能に備えられることができる。
【００１７】
また、上記フィルタ部は、開放部に回転可能且つ分離可能に備えられる第１のフィルタ支持部材と、第１のフィルタ支持部材の下に備えられる第２のフィルタ支持部材と、第１のフィルタ支持部材と第２のフィルタ支持部材の間に備えられるフィルタ部材と、を含むことができる。
【００１８】
また、上記第１のフィルタ支持部材と第２のフィルタ支持部材には空気が通過する通過孔が形成されることができる。
【００１９】
また、上記第２のフィルタ支持部材は第１のフィルタ支持部材に回転可能に備えられることができる。
【００２０】
また、上記第１のフィルタ支持部材の下部には、第２のフィルタ支持部材が回転によって重なるように挿入される挿入部が形成されることができる。
【００２１】
また、上記挿入部の外側の第１のフィルタ支持部材には、開放部との間を密封する開放部密封部材が備えられることができる。
【００２２】
また、上記開放部密封部材は、第１のフィルタ支持部材を少なくとも一部貫通して第１のフィルタ支持部材に備えられることができる。
【００２３】
また、上記挿入部の外側の第１のフィルタ支持部材には貫通孔が形成され、開放部密封部材は、第１のフィルタ支持部材の上部に備えられる上部密封部、第１のフィルタ支持部材の下部に備えられる下部密封部、及び上部密封部と下部密封部に連結され貫通孔を貫通する連結部を含むことができる。
【００２４】
また、上記カバーには、水筒が挿入されて実験動物に水を供給することができる水供給部が形成されることができる。
【００２５】
また、上記水供給部には水筒の水注入ノズルが挿入される水供給孔が形成され、水供給孔に隣接した水供給部には水供給孔を開閉する回転開閉部材が回転可能に備えられることができる。
【００２６】
また、上記水供給孔に隣接した水供給部には回転開閉部材に弾性力を作用させる弾性部材が備えられることができる。
【００２７】
また、上記水注入ノズルに隣接した水筒の部分には、水注入ノズルが水供給孔に挿入されたときに水注入ノズルと水供給孔の間の間隙を密封する間隙密封部材が備えられることができる。
【００２８】
また、上記カバー又は装置本体には、カバーが装置本体に結合されるようにするクランピング部材が回転可能に備えられることができる。
【００２９】
また、上記装置本体とカバーの間には密封部材が備えられることができる。
【００３０】
また、上記カバー又は装置本体には、飼育空間に新鮮な空気を供給したり飼育空間に存在する汚染された空気を排出するように空気供給源又は空気排出源に連結される空気流動部が形成されることができる。
【００３１】
また、上記空気流動部はカバーに形成されることができる。
【００３２】
また、上記空気流動部には流動孔が形成され、流動孔には流動孔を開閉するバルブ部が備えられることができる。
【００３３】
また、上記バルブ部は、流動孔に移動可能に備えられて流動孔を開閉する移動開閉部材を含むことができる。
【００３４】
また、上記移動開閉部材は、流動孔を開閉する開閉部、及び流動孔に移動可能に備えられる移動部を含むことができる。
【００３５】
また、上記開閉部は円錐台状又は円錐状であればよい。
【００３６】
また、上記流動孔には、移動開閉部材の移動をガイドするように移動開閉部材が挿入されるガイド孔と空気が通過する空気通過孔が形成されたガイド部が備えられることができる。
【００３７】
また、上記バルブ部は、移動開閉部材の一端部が挿入される挿入孔と空気が通過する空気通過孔が形成されたガイド部材と、ガイド部とガイド部材の間に備えられる弾性部材と、をさらに含むことができる。
【００３８】
また、上記流動孔には、空気供給源と空気排出源を含む空調装置に備えられた連結部が挿入されることができる。
【００３９】
また、上記空気流動部には磁力が発生する第１の磁力発生部材が備えられ、第１の磁力発生部材に対応する位置の連結部には第１の磁力発生部材に対応する第２の磁力発生部材が備えられることができる。
【００４０】
また、上記装置本体の底面から所定間隔離隔するように飼育空間に備えられ実験動物の餌が置かれる餌箱をさらに含むことができる。
【００４１】
また、上記餌箱は開放部の下に備えられることができる。
【００４２】
また、上記餌箱の少なくとも一部は網状であればよい。
【００４３】
また、上記餌箱の断面は上広下狭の四角形であればよい。
【００４４】
また、上記餌箱の上端部は開放部に設置されることができる。
【００４５】
また、上記餌箱の上端部には引っ掛け部が形成され、開放部には引っ掛け部が引っ掛かる引っ掛け溝が形成されることができる。
【００４６】
また、上記餌箱には、上端部から水平に延びる水平延長部、及び水平延長部から垂直に延びる垂直延長部が備えられることができる。
【００４７】
また、上記餌箱の上端部と水平延長部は装置本体の上端部に設置されることができる。
【００４８】
また、上記餌箱の上端部と水平延長部には引っ掛け部が形成され、装置本体の上端部には引っ掛け部が引っ掛かる引っ掛け溝が形成されることができる。
【発明の効果】
【００４９】
以上のように、本発明の実施例によれば、実験動物飼育装置の飼育空間の空気が快適になるように空気を循環させる空調装置などが作動しなくても実験動物が斃死しない。
【００５０】
また、本発明の実施例によれば、実験動物を実験動物飼育装置に容易に入れたり出したりして容易に扱うことができる。
【００５１】
また、本発明の実施例によれば、実験動物飼育装置を空調装置などに容易に連結することができる。
【００５２】
また、本発明の実施例によれば、多様な形状の餌箱が備えられることができる。
【図面の簡単な説明】
【００５３】
【図１】本発明の一実施例による実験動物飼育装置の正面斜視図である。
【図２】本発明の一実施例による実験動物飼育装置の背面斜視図である。
【図３】本発明の一実施例による実験動物飼育装置の分解斜視図である。
【図４】本発明の一実施例による実験動物飼育装置のフィルタ部の分解斜視図である。
【図５】本発明の一実施例による実験動物飼育装置のバルブ部の分解斜視図である。
【図６】図１のＡ−Ａ’線に沿う断面図の一部であり、本発明の一実施例による実験動物飼育装置のカバーに形成された水供給部に水筒を挿入することを示す図である。
【図７】図１のＡ−Ａ’線に沿う断面図の一部であり、本発明の一実施例による実験動物飼育装置のカバーに形成された水供給部に水筒を挿入することを示す図である。
【図８】図１のＢ−Ｂ’線に沿う断面図の一部であり、本発明の一実施例による実験動物飼育装置のカバーに形成された流動孔に空調装置の連結部が連結されることを示す図である。
【図９】図１のＢ−Ｂ’線に沿う断面図の一部であり、本発明の一実施例による実験動物飼育装置のカバーに形成された流動孔に空調装置の連結部が連結されることを示す図である。
【図１０】本発明の一実施例による実験動物飼育装置のフィルタ部を回転したことを示す斜視図である。
【図１１】本発明の一実施例による実験動物飼育装置のフィルタ部をカバーの開放部から分離したことを示す斜視図である。
【図１２】本発明の一実施例による実験動物飼育装置のカバーの開放部から餌箱を分離したことを示す斜視図である。
【図１３】（ａ）及び（ｂ）は本発明の一実施例による実験動物飼育装置の餌箱の他の実施例を示す斜視図である。
【図１４】本発明の一実施例による実験動物飼育装置の他の実施例による餌箱を装置本体に設置することを示す斜視図である。
【発明を実施するための形態】
【００５４】
上記のような本発明の特徴に対する理解のために、以下に本発明の実施例による実験動物飼育装置についてより詳細に説明する。
【００５５】
しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００５６】
以下、図１〜図１４を参照して本発明の一実施例による実験動物飼育装置について説明する。
【００５７】
図１は、本発明の一実施例による実験動物飼育装置の正面斜視図であり、図２は、本発明の一実施例による実験動物飼育装置の背面斜視図であり、図３は、本発明の一実施例による実験動物飼育装置の分解斜視図である。
【００５８】
図４は、本発明の一実施例による実験動物飼育装置のフィルタ部の分解斜視図であり、図５は、本発明の一実施例による実験動物飼育装置のバルブ部の分解斜視図である。
【００５９】
図６と図７は、図１のＡ−Ａ’線に沿う断面図の一部であり、本発明の一実施例による実験動物飼育装置のカバーに形成された水供給部に水筒を挿入することを示す図であり、図８と図９は、図１のＢ−Ｂ’線に沿う断面図の一部であり、本発明の一実施例による実験動物飼育装置のカバーに形成された流動孔に空調装置の連結部が連結されることを示す図である。
【００６０】
図１０は、本発明の一実施例による実験動物飼育装置のフィルタ部を回転したことを示す斜視図であり、図１１は、本発明の一実施例による実験動物飼育装置のフィルタ部をカバーの開放部から分離したことを示す斜視図であり、図１２は、本発明の一実施例による実験動物飼育装置のカバーの開放部から餌箱を分離したことを示す斜視図である。
【００６１】
図１３は、本発明の一実施例による実験動物飼育装置の餌箱の他の実施例を示す斜視図であり、図１４は、本発明の一実施例による実験動物飼育装置の他の実施例による餌箱を装置本体に設置することを示す斜視図である。
【００６２】
本発明の一実施例による実験動物飼育装置は、装置本体２００とカバー３００を含むことができる。
【００６３】
装置本体
装置本体２００には飼育空間ＣＢが形成されることができる。装置本体２００の飼育空間ＣＢでは、実験用ネズミなどのような実験動物が飼育されることができる。
【００６４】
装置本体２００は、図３に示されるように、上部が開放され飼育空間ＣＢが形成された筒状であればよい。しかしながら、装置本体２００の形状は、特に限定されず、飼育空間ＣＢが形成される形状であれば周知のいずれの形状でもよい。
【００６５】
図３に示されるように、装置本体２００の上端部には引っ掛け溝２１０が形成されることができる。この引っ掛け溝２１０には、後述し且つ図１３の（ａ）と（ｂ）に示されるように、餌箱６００の上端部と、餌箱６００の上端部から水平に延びる水平延長部６２０に形成される引っ掛け部６１０が引っ掛かることができる。
【００６６】
これにより、図１３の（ａ）と（ｂ）に示されるような水平延長部６２０と当該水平延長部６２０から垂直に延びる垂直延長部６３０が備えられる餌箱６００が装置本体２００の上端部に設置されることができる。
【００６７】
装置本体２００には、図３に示されるように、係止突部２２０が備えられることができる。この係止突部２２０には、カバー３００に回転可能に備えられる後述のクランピング部材３３０に形成された係止部３３２が係止されることができる。これにより、カバー３００が装置本体２００に結合されることができる。
【００６８】
カバー
カバー３００は、装置本体２００の開放された上部を覆うことができる。
【００６９】
カバー３００には、クランピング部材３３０が回転可能に備えられることができる。このために、カバー３００には回転支持溝３１７が形成され、クランピング部材３３０にはカバー３００の回転支持溝３１７に挿入される回転突起３３１が形成されることができる。
【００７０】
しかしながら、クランピング部材３３０がカバー３００に回転可能に備えられる構成は、特に限定されず、周知のいずれの構成でもよい。
【００７１】
このクランピング部材３３０によってカバー３００が装置本体２００に結合されることができる。このために、装置本体２００には係止突部２２０が備えられ、クランピング部材３３０には装置本体２００の係止突部２２０に係止される係止部３３２が備えられることができる。
【００７２】
上記では、クランピング部材３３０がカバー３００に回転可能に備えられ装置本体２００に係止突部２２０が備えられることを例に挙げてカバー３００がクランピング部材３３０によって装置本体２００に結合されることを説明した。
【００７３】
しかしながら、クランピング部材３３０が装置本体２００に回転可能に備えられカバー３００に係止突部が備えられることによりカバー３００が装置本体２００に結合されることもできる。
【００７４】
装置本体２００とカバー３００の間には密封部材３４０が備えられることができる。これにより、前述したように、クランピング部材３３０によってカバー３００が装置本体２００に結合されるとき、装置本体２００とカバー３００の間が密封部材３４０によって密封されることができる。
【００７５】
カバー３００には開放部３１０が形成されることができる。このカバー３００の開放部３１０には、後述のフィルタ部４００が分離可能に備えられることができる。
【００７６】
カバー３００の開放部３１０には、一側が開放された第１の回転支持溝３１１が形成されることができる。この開放部３１０の第１の回転支持溝３１１には、後述のフィルタ部４００に含まれる第１のフィルタ支持部材４１０に形成された第１の回転突起４１１が挿入されることができる。第１のフィルタ支持部材４１０の第１の回転突起４１１は、開放された第１の回転支持溝３１１の一側を介して第１の回転支持溝３１１に挿入されることができる。
【００７７】
これにより、第１のフィルタ支持部材４１０が開放部３１０に回転可能且つ分離可能に備えられることができる。
【００７８】
カバー３００の開放部３１０には引っ掛け溝３１２が形成されることができる。この開放部３１０の引っ掛け溝３１２には、図３に示して後述するような構成の餌箱６００の上端部に形成された引っ掛け部６１０が引っ掛かることができる。
【００７９】
これにより、図３に示されるような構成の餌箱６００がカバー３００の開放部３１０に設置されることができる。
【００８０】
カバー３００には密封部材挿入溝３１５が形成されることができる。カバー３００の密封部材挿入溝３１５には、前述の密封部材３４０が挿入されることができる。これにより、装置本体２００とカバー３００の間を密封することができる。
【００８１】
しかしながら、密封部材挿入溝が装置本体２００に形成されて密封部材挿入溝に密封部材３４０が挿入されることにより装置本体２００とカバー３００の間を密封することもできる。
【００８２】
カバー３００には掛け止め孔３１６が形成されることができる。このカバー３００の掛け止め孔３１６には、ラベル付着部材３６０の掛け止め部３６１が挿入されて掛け止められることができる。
【００８３】
これにより、ラベル付着部材３６０がカバー３００に備えられ、実験動物の名称や状態、実験内容又は実験経過などを記録することができるラベル（図示せず）をラベル付着部材３６０に付着することができる。
【００８４】
カバー３００には、前述したように、クランピング部材３３０の回転突起３３１が挿入される回転支持溝３１７が形成されることができる。これにより、クランピング部材３３０がカバー３００に回転可能に備えられることができる。
【００８５】
カバー３００には水供給部３２０が形成されることができる。この水供給部３２０には、図６と図７に示されるように、水筒ＷＢが挿入されることができる。これにより、装置本体２００の飼育空間ＣＢにいる実験動物に水を供給することができる。
【００８６】
水供給部３２０には水供給孔３２１が形成されることができる。そして、水筒ＷＢが水供給部３２０に挿入されることにより、水筒ＷＢの水注入ノズルＮが水供給孔３２１に挿入されることができる。
【００８７】
これにより、水筒ＷＢの水注入ノズルＮが装置本体２００の飼育空間ＣＢの内部に位置することができるため、実験動物が水注入ノズルＮを介して水筒ＷＢに貯蔵された水の供給を受けることができる。
【００８８】
水供給孔３２１に隣接した水供給部３２０、即ち、飼育空間ＣＢ側の水供給部３２０には、回転開閉部材３２２が回転可能に備えられることができる。
【００８９】
このために、水供給孔３２１に隣接した水供給部３２０には、一側が開放された回転支持溝（図示せず）が形成された一対の回転支持部３２４が形成されることができる。また、回転開閉部材３２２には一対の軸部材通過孔（図３の３２２ａ）が形成されることができる。
【００９０】
そして、軸部材３２５が回転開閉部材３２２の軸部材通過孔（図３の３２２ａ）を通過して回転支持部３２４の回転支持溝に挿入されることにより、回転開閉部材３２２が水供給孔３２１に隣接した水供給部３２０に回転可能に備えられることができる。
【００９１】
しかしながら、回転開閉部材３２２が回転可能に備えられる構成は、特に限定されず、回転開閉部材３２２に形成された回転突起が回転支持部３２４に形成された回転支持溝に挿入されるなどの周知のいずれの構成でもよい。
【００９２】
水供給孔３２１に隣接した水供給部３２０には、水供給孔３２１を閉める側に回転開閉部材３２２に弾性力を作用させる弾性部材３２３が備えられることができる。
【００９３】
これにより、図７に示されるように、水筒ＷＢが水供給部３２０に挿入されるときにのみ水筒ＷＢの水注入ノズルＮによって回転開閉部材３２２が開くことができる。
【００９４】
そして、水筒ＷＢが水供給部３２０に挿入されないときには、図６に示されるように、弾性部材３２３の弾性力によって回転開閉部材３２２が閉まることができる。これにより、水供給部３２０の水供給孔３２１を介して外部の空気が装置本体２００の飼育空間ＣＢに流入しないようにすることができる。
【００９５】
また、水注入ノズルＮに隣接した水筒ＷＢの部分には、図７に示されるように、間隙密封部材Ｒが備えられることができる。これにより、水注入ノズルＮが水供給孔３２１に挿入されたとき、水注入ノズルＮと水供給孔３２１の間の間隙が密封されることができる。また、外部の空気が水注入ノズルＮと水供給孔３２１の間の間隙を介して装置本体２００の飼育空間ＣＢに流入しないようにすることができる。
【００９６】
フィルタ部
本発明の一実施例による実験動物飼育装置１００は、フィルタ部４００をさらに含むことができる。
【００９７】
フィルタ部４００は、カバー３００に形成された前述の開放部３１０に分離可能に備えられることができる。
【００９８】
これにより、図１１に示されるように、フィルタ部４００を開放部３１０から分離して、開放部３１０に設置される後述の餌箱６００に餌を盛ることができる。
【００９９】
また、図１２に示されるように、このような状態で餌箱６００も開放部３１０から分離すると、飼育空間ＣＢにいる実験動物を開放部３１０を介して出したり実験動物を飼育空間ＣＢに入れたりすることもでき、飼育空間ＣＢにいる実験動物を容易に扱うこともできる。
【０１００】
このフィルタ部４００によって装置本体２００の飼育空間ＣＢに流入する空気が浄化されるようにすることができる。
【０１０１】
特に、カバー３００に形成される後述の空気流動部３５０に連結される空気供給源（図示せず）又は空気排出源（図示せず）が作動しない場合、外部の空気がフィルタ部４００を介して飼育空間ＣＢに流入することができる。
【０１０２】
このように、外部の空気がフィルタ部４００を介して飼育空間ＣＢに流入するため、フィルタ部４００によってろ過されて浄化された空気が飼育空間ＣＢに流入することができる。
【０１０３】
これにより、空気供給源又は空気排出源が作動しないとしても、飼育空間ＣＢにいる実験動物が斃死しない。
【０１０４】
フィルタ部４００は、開放部３１０に回転可能に備えられることができる。これにより、図１０に示されるように、フィルタ部４００を開放部３１０から分離せずに回転するだけで、後述の餌箱６００に餌を盛ることができる。
【０１０５】
このフィルタ部４００は、図４に示されるように、第１のフィルタ支持部材４１０、第２のフィルタ支持部材４２０、及びフィルタ部材４３０を含むことができる。
【０１０６】
第１のフィルタ支持部材４１０は、前述のカバー３００の開放部３１０に回転可能且つ分離可能に備えられることができる。このために、第１のフィルタ支持部材４１０には第１の回転突起４１１が形成され、第１のフィルタ支持部材４１０の第１の回転突起４１１は、前述の第１の回転支持溝３１１の開放された一側を介して第１の回転支持溝３１１に挿入されることができる。
【０１０７】
また、第１のフィルタ支持部材４１０には第２の回転支持溝４１２が形成されることができる。第１のフィルタ支持部材４１０の第２の回転支持溝４１２には、第２のフィルタ支持部材４２０に形成される後述の第２の回転突起４２１が挿入されることができる。
【０１０８】
また、第１のフィルタ支持部材４１０の下部には挿入部４１３が形成されることができる。この挿入部４１３には、第２のフィルタ支持部材４２０が重なるように挿入されることができる。
【０１０９】
また、挿入部４１３の外側の第１のフィルタ支持部材４１０には開放部密封部材４１４が備えられることができる。この開放部密封部材４１４によって、第１のフィルタ支持部材４１０がカバー３００の開放部３１０に備えられるときに開放部３１０との間が密封されることができる。
【０１１０】
開放部密封部材４１４は、第１のフィルタ支持部材４１０を少なくとも一部貫通して第１のフィルタ支持部材４１０に備えられることができる。
【０１１１】
このために、挿入部４１３の外側の第１のフィルタ支持部材４１０には貫通孔４１５が形成されることができる。また、開放部密封部材４１４は、上部密封部４１４ａ、下部密封部４１４ｂ、及び連結部４１４ｃを含むことができる。
【０１１２】
開放部密封部材４１４の上部密封部４１４ａは、第１のフィルタ支持部材４１０の上部に備えられることができる。また、下部密封部４１４ｂは、第１のフィルタ支持部材４１０の下部に備えられることができる。そして、連結部４１４ｃは、上部密封部４１４ａと下部密封部４１４ｂに連結され、貫通孔４１５を貫通することができる。
【０１１３】
開放部密封部材４１４は、例えば、二重射出によって第１のフィルタ支持部材４１０を少なくとも一部貫通して備えられることができる。即ち、第１のフィルタ支持部材４１０を第１の射出成形によって製造した後、第２の射出成形によって開放部密封部材４１４が第１のフィルタ支持部材４１０を少なくとも一部貫通して備えられるようにすることができる。
【０１１４】
これにより、フィルタ部４００がカバー３００の開放部３１０に備えられると、フィルタ部４００とカバー３００の開放部３１０の間の密封が堅固になされることができる。
【０１１５】
第１のフィルタ支持部材４１０には通過孔Ｈが形成されることができる。そして、外部の空気がこの第１のフィルタ支持部材４１０の通過孔Ｈを通過することができる。
【０１１６】
第２のフィルタ支持部材４２０は、第１のフィルタ支持部材４１０の下に備えられることができる。これにより、フィルタ部材４３０が第１のフィルタ支持部材４１０と第２のフィルタ支持部材４２０の間に備えられることができる。
【０１１７】
第２のフィルタ支持部材４２０は、第１のフィルタ支持部材４１０に回転可能に備えられることができる。これにより、図１１に示されるように、第１のフィルタ支持部材４１０と第２のフィルタ支持部材４２０の間に備えられるフィルタ部材４３０の交換が容易となることができる。即ち、第２のフィルタ支持部材４２０を第１のフィルタ支持部材４１０に対して回転させて第１のフィルタ支持部材４１０と第２のフィルタ支持部材４２０の間に備えられたフィルタ部材４３０を容易に交換することができる。
【０１１８】
このために、第２のフィルタ支持部材４２０には、前述の第１のフィルタ支持部材４１０の第２の回転支持溝４１２に挿入される第２の回転突起４２１が形成されることができる。しかしながら、第２のフィルタ支持部材４２０が第１のフィルタ支持部材４１０に回転可能に備えられる構成は、特に限定されず、周知のいずれの構成でもよい。
【０１１９】
第２のフィルタ支持部材４２０にも通過孔Ｈが形成されることができる。これにより、第１のフィルタ支持部材４１０の通過孔Ｈを通過した外部の空気は、フィルタ部材４３０を経て第２のフィルタ支持部材４２０の通過孔Ｈを通過して装置本体２００の飼育空間ＣＢに流入することができる。
【０１２０】
フィルタ部材４３０は、第１のフィルタ支持部材４１０と第２のフィルタ支持部材４２０の間に備えられることができる。第１のフィルタ支持部材４１０の通過孔Ｈを通過した外部の空気は、フィルタ部材４３０を通過しながらろ過されて浄化されることができる。そして、第２のフィルタ支持部材４２０の通過孔Ｈを介して装置本体２００の飼育空間ＣＢに流入することができる。これにより、装置本体２００の飼育空間ＣＢに浄化された空気が流入することができる。
【０１２１】
フィルタ部材４３０は、特に限定されず、第１のフィルタ支持部材４１０の通過孔Ｈを通過した空気がろ過されて浄化されることができるものであれば周知のいずれのものでもよい。
【０１２２】
上記では、フィルタ部４００が分離可能に備えられる開放部がカバー３００に形成されたことを例に挙げて説明したが、フィルタ部４００が分離可能に備えられる開放部は装置本体２００に形成されることもできる。
【０１２３】
空気流動部及びバルブ部
本発明の一実施例による実験動物飼育装置１００のカバー３００には空気流動部３５０が形成されることができる。
【０１２４】
空気流動部３５０は、空気供給源（図示せず）又は空気排出源（図示せず）に連結されることができる。
【０１２５】
カバー３００には、図２に示されるように、二つの空気流動部３５０が形成されることができる。そして、一つの空気流動部３５０は空気供給源に連結されることができる。また、他の空気流動部３５０は空気排出源に連結されることができる。
【０１２６】
空気供給源に連結された空気流動部３５０には空気供給源の新鮮な空気が流入することができる。これにより、装置本体２００の飼育空間ＣＢに新鮮な空気を供給することができる。
【０１２７】
また、空気排出源に連結された空気流動部３５０には、飼育空間ＣＢに実験動物の呼吸などによって発生した二酸化炭素などが混合されて存在する汚染された空気が流入することができる。そして、空気流動部３５０に流入した汚染された空気は、空気流動部３５０を介して空気排出源に排出されることができる。
【０１２８】
これにより、装置本体２００の飼育空間ＣＢにおける空気の循環がなされて実験動物が快適な環境で飼育されることができる。
【０１２９】
図８と図９に示されるように、空気流動部３５０には流動孔３５１が形成されることができる。また、空気流動部３５０の流動孔３５１には、流動孔３５１を開閉するバルブ部５００が備えられることができる。
【０１３０】
バルブ部５００は移動開閉部材５１０を含むことができる。移動開閉部材５１０は、流動孔３５１に移動可能に備えられて流動孔３５１を開閉することができる。
【０１３１】
この移動開閉部材５１０は開閉部５１１と移動部５１２を含むことができる。開閉部５１１は流動孔３５１を開閉することができる。また、開閉部５１１は円錐台状又は円錐状であればよい。これにより、移動開閉部材５１０が空気流動部３５０の流動孔３５１を容易に開閉することができる。
【０１３２】
移動開閉部材５１０の移動部５１２は、流動孔３５１に移動可能に備えられることができる。
【０１３３】
流動孔３５１には、図８と図９に示されるように、ガイド部３５２が備えられることができる。このガイド部３５２にはガイド孔３５２ａと空気通過孔３５２ｂが形成されることができる。
【０１３４】
ガイド孔３５２ａには、前述の移動開閉部材５１０、即ち、移動開閉部材５１０の移動部５１２が挿入されることができる。これにより、移動開閉部材５１０の流動孔３５１での移動がガイドされることができる。
【０１３５】
また、空気通過孔３５２ｂには空気が通過することができる。これにより、移動開閉部材５１０によって空気流動部３５０の流動孔３５１が開いた場合、空気供給源から流動孔３５１に供給された空気が図９に示されるようにガイド部３５２の空気通過孔３５２ｂを通過して装置本体２００の飼育空間ＣＢに流入したり、飼育空間ＣＢの汚染された空気が流動孔３５１に流入した後にガイド部３５２の空気通過孔３５２ｂを通過して空気排出源に排出されることができる。
【０１３６】
バルブ部５００は、前述の移動開閉部材５１０の他にガイド部材５２０と弾性部材５３０をさらに含むことができる。
【０１３７】
ガイド部材５２０には挿入孔５２１と空気通過孔５２２が形成されることができる。
【０１３８】
ガイド部材５２０の挿入孔５２１には、移動開閉部材５１０の一端部、即ち、移動開閉部材５１０の移動部５１２の一端部が挿入されることができる。例えば、挿入補助部材５４０によって移動開閉部材５１０の一端部が挿入孔５２１に挿入されることができる。
【０１３９】
これにより、ガイド部材５２０は、移動開閉部材５１０の移動に伴い、移動開閉部材５１０と共に空気流動部３５０の流動孔３５１を移動することができる。
【０１４０】
ガイド部材５２０の空気通過孔５２２には空気が通過することができる。これにより、移動開閉部材５１０によって流動孔３５１が開いた場合、空気供給源から流動孔３５１に供給された空気がガイド部材５２０の空気通過孔５２２を通過して装置本体２００の飼育空間ＣＢに流入したり、飼育空間ＣＢの空気が流動孔３５１に流入した後にガイド部材５２０の空気通過孔５２２を通過して空気排出源に排出されることができる。
【０１４１】
弾性部材５３０は、ガイド部３５２とガイド部材５２０の間に備えられることができる。そして、移動開閉部材５１０に外力が作用しない限り、移動開閉部材５１０が流動孔３５１を閉めるようにガイド部材５２０に弾性力を作用させることができる。
【０１４２】
一方、空気流動部３５０の流動孔３５１には、空気供給源と空気排出源を含む空調装置（図示せず）に備えられた連結部Ｃが挿入されることができる。
【０１４３】
連結部Ｃは、例えば、一部が管状であればよい。また、空調装置は、空気供給源に連結された連結部Ｃと空気排出源に連結された連結部Ｃ、即ち、全部で二つの連結部Ｃを含むことができる。
【０１４４】
そして、空気供給源に連結された連結部Ｃが二つの空気流動部３５０のうち一つの空気流動部３５０の流動孔３５１に挿入され、空気排出源に連結された連結部Ｃが他の空気流動部３５０の流動孔３５１に挿入されることができる。
【０１４５】
連結部Ｃは、図９に示されるように空気流動部３５０の流動孔３５１に挿入されるとき、バルブ部５００のガイド部材５２０を押す。これにより、弾性部材５３０の弾性力に勝って移動開閉部材５１０が移動して流動孔３５１が開く。
【０１４６】
これにより、図９に示されるように、空調装置の空気供給源の新鮮な空気は、空気供給源に連結された連結部Ｃと、ガイド部材５２０及びガイド部３５２の空気通過孔５２２、３５２ｂを通過しながら空気流動部３５０の流動孔３５１を流動して、装置本体２００の飼育空間ＣＢに流入することができる。
【０１４７】
また、飼育空間ＣＢに存在する汚染された空気は、他の空気流動部３５０の流動孔３５１に流入し、ガイド部３５２及びガイド部材５２０の空気通過孔３５２ｂ、５２２を通過しながら空気流動部３５０の流動孔３５１を流動して、空気流動部３５０の流動孔３５１に挿入されて連結された連結部Ｃを介して連結部Ｃに連結された空調装置の空気排出源に流動することができる。
【０１４８】
図２に示されるように、空気流動部３５０には、磁力が発生する第１の磁力発生部材３５３が備えられることができる。また、第１の磁力発生部材３５３に対応する位置の空調装置の連結部Ｃには、第１の磁力発生部材３５３に対応する第２の磁力発生部材Ｍが備えられることができる。
【０１４９】
これにより、第１の磁力発生部材３５３と第２の磁力発生部材Ｍの磁力によって、図８と図９に示されるように空気流動部３５０の流動孔３５１と空調装置の連結部Ｃが容易に整列されることができる。また、空気流動部３５０の流動孔３５１に空調装置の連結部Ｃが容易に挿入されるようにすることができる。
【０１５０】
上記では、空気供給源又は空気排出源に連結される空気流動部３５０がカバー３００に形成されることを例に挙げて説明したが、空気供給源又は空気排出源に連結される空気流動部３５０は装置本体２００に形成されることもできる。
【０１５１】
餌箱
本発明の一実施例による実験動物飼育装置１００は餌箱６００をさらに含むことができる。
【０１５２】
餌箱６００は、装置本体２００の底面から所定間隔離隔するように飼育空間ＣＢに備えられることができる。この餌箱６００には実験動物の餌が置かれることができる。
【０１５３】
餌箱６００は、カバー３００の開放部３１０の下に備えられることができる。
【０１５４】
また、餌箱６００の少なくとも一部は網状であればよい。これにより、実験動物は、餌箱６００に盛られた餌を網の間を介して食べることができる。
【０１５５】
また、餌箱６００の断面は上広下狭の四角形であればよい。これにより、複数個の餌箱６００を保管のために容易に積載することができる。即ち、一つの餌箱６００を他の餌箱６００の内部に挿入して複数個の餌箱６００を容易に積載することができる。
【０１５６】
餌箱６００の上端部はカバー３００の開放部３１０に設置されることができる。このために、餌箱６００の上端部には引っ掛け部６１０が形成されることができる。そして、餌箱６００の引っ掛け部６１０は、前述のカバー３００の開放部３１０に形成された引っ掛け溝３１２に引っ掛かることができる。
【０１５７】
このような構成の餌箱６００を用いると、図１２に示されるように、カバー３００の開放部３１０からフィルタ部４００を分離した後、餌箱６００も容易に開放部３１０から分離することができる。
【０１５８】
また、このように餌箱６００をカバー３００の開放部３１０から分離して、装置本体２００の飼育空間ＣＢにいる実験動物を容易に出したり、実験動物を容易に飼育空間ＣＢに入れたり、又は飼育空間ＣＢにいる実験動物を容易に扱うことができる。
【０１５９】
一方、図１３に示されるように、餌箱６００には、餌箱６００の上端部から延びる水平延長部６２０が備えられることができる。また、図に示されるように、餌箱６００には、水平延長部６２０から垂直に延びる垂直延長部６３０がさらに備えられることができる。これにより、餌箱６００に実験動物が入ることができず、餌箱６００の網の間を介してのみ餌箱６００に盛られた餌を食べることができる。
【０１６０】
このように、水平延長部６２０と垂直延長部６３０を備える餌箱６００の上端部と水平延長部６２０は装置本体２００の上端部に設置されることができる。このために、餌箱６００の上端部と水平延長部６２０には引っ掛け部６１０が形成されることができる。そして、餌箱６００と水平延長部６２０の引っ掛け部６１０は、前述の装置本体２００の上端部に形成された引っ掛け溝２１０に引っ掛かることができる。
【０１６１】
水平延長部６２０と垂直延長部６３０を備える餌箱６００を装置本体２００の上端部に設置するためには、図１４に示されるように、カバー３００を装置本体２００から分離しなければならない。
【０１６２】
以上のように、本発明による実験動物飼育装置を用いると、実験動物飼育装置の飼育空間の空気が快適になるように空気を循環させる空調装置などが作動しなくても実験動物が斃死せず、実験動物を実験動物飼育装置に容易に入れたり出したりして容易に扱うことができ、実験動物飼育装置を空調装置などに容易に連結することができ、多様な形状の餌箱が備えられることができる。
【０１６３】
以上、本発明の実施形態について詳細に説明したが、本発明の権利範囲はこれに限定されず、請求の範囲に記載された本発明の技術的思想から外れない範囲内で多様な修正及び変形が可能であるということは、当技術分野の通常の知識を有する者には明らかである。
【符号の説明】
【０１６４】
１００  実験動物飼育装置
２００  装置本体
２１０、３１２  引っ掛け溝
２２０  係止突部
３００  カバー
３１０  開放部
３１１  第１の回転支持溝
３１５  密封部材挿入溝
３１６  掛け止め孔
３１７  回転支持溝
３２０  水供給部
３２１  水供給孔
３２２  回転開閉部材
３２２ａ  軸部材通過孔
３２３  弾性部材
３２４  回転支持部
３２５  軸部材
３３０  クランピング部材
３３１  回転突起
３３２  係止部
３４０  密封部材
３５０  空気流動部
３５１  流動孔
３５２  ガイド部
３５２ａ  ガイド孔
３５２ｂ、５２２  空気通過孔
３５３  第１の磁力発生部材
３６０  ラベル付着部材
３６１  掛け止め部
４００  フィルタ部
４１０  第１のフィルタ支持部材
４１１  第１の回転突起
４１２  第２の回転支持溝
４１３  挿入部
４１４  開放部密封部材
４１４ａ  上部密封部
４１４ｂ  下部密封部
４１４ｃ  連結部
４１５  貫通孔
４２０  第２のフィルタ支持部材
４２１  第２の回転突起
４３０  フィルタ部材
５００  バルブ部
５１０  移動開閉部材
５１１  開閉部
５１２  移動部
５２０  ガイド部材
５２１  挿入孔
５３０  弾性部材
５４０  挿入補助部材
６００  餌箱
６１０  引っ掛け部
６２０  水平延長部
６３０  垂直延長部
ＣＢ  飼育空間
Ｈ  通過孔
ＷＢ  水筒
Ｎ  水注入ノズル
Ｃ  連結部
Ｍ  第２の磁力発生部材
Ｒ  間隙密封部材
【図１】
0006431470.tif 000002
【図２】
0006431470.tif 000003
【図３】
0006431470.tif 000004
【図４】
0006431470.tif 000005
【図５】
0006431470.tif 000006
【図６】
0006431470.tif 000007
【図７】
0006431470.tif 000008
【図８】
0006431470.tif 000009
【図９】
0006431470.tif 000010
【図１０】
0006431470.tif 000011
【図１１】
0006431470.tif 000012
【図１２】
0006431470.tif 000013
【図１３】
0006431470.tif 000014
【図１４】
0006431470.tif 000015